(57)【要約】【課題】  素足でも違和感なく、かつフィット感がある鼻緒タイプの履物を得る。【解決手段】  少なくとも足裏側となる最上面を、足裏の平面に対応する形状のフェルトの最上面部材１４０Ａで形成した下底本体部１４０と鼻緒１５０とからなる鼻緒タイプの室内履きであって、鼻緒１５０は、横緒１５４と前緒１５２とからなり、横緒１５４は、断面が長方形状にされ、この断面の長軸を縦方向となるように下底本体部１４０の最上面部材１４０Ａの両側に接続された材質がウレタンスポンジ製の横緒芯部材１５４Ａと、この横緒芯部材１５４Ａの全部を包んだ材質がフェルト製の横緒筒部材１５４Ｂとで構成する。【選択図】図３
2015112359.tif 000002
【特許請求の範囲】
【請求項１】
足裏に略対応する形状の下底本体部１４０と鼻緒１５０とからなる鼻緒タイプの履物であって、
前記鼻緒１５０は、横緒１５４と前緒１５２とからなり、
前記横緒１５４は、
断面が略長方形状又は略楕円形状にされ、この長軸が前記前緒１５２の略２倍程度にされて軽量でかつ軟材料の横緒芯部材１５４Ａと、
前記横緒芯部材１５４Ａより長くされて該横緒芯部材１５４Ａの周囲を包み込み、両端が前記下底本体部１４０の両縁に接続された横緒筒部材１５４Ｂと
で構成され、
前記前緒１５２は、
足の親指の厚み程度の立設部分を有して前記横緒１５４の中央部分に巻き付けられている
ことを特徴とする鼻緒タイプの履物。
【請求項２】
前記前緒１５２は、
前緒芯材１５２Ａと、
前記前緒芯材１５２Ａの周囲を包み込んだ前緒筒部材１５２Ｂと
から構成され、
前記横緒筒部材１５４Ｂは、
裏面全体に渡って補強テープ１５４ｃを貼り付けていることを特徴とする請求項１記載の鼻緒タイプの履物。
【請求項３】
前記下底本体部１４０は、
表面がフェルト製の最上面部材１４０Ａで覆われ、
前記前緒筒部材１５２Ｂ並びに前記横緒筒部材１５４Ｂは、
フェルト製であり、
前記下底本体部１４０は、
フェルト製のカバー１４７が周囲に貼り付けれ、かつこのカバー１４７の周端が当該下底本体部１４０の底面の周囲に貼り付けられ、
この底面は、前記足裏の平面形状にされたフェルト製の下底部材１６０を貼り付けて形成していることを特徴とする請求項１又は２記載の鼻緒タイプの履物。
【請求項４】
前記下底本体部１４０は、
前記最上面部材１４０Ａの下に、
足裏の平面形状に対応し、かつ後足部対応領域１３０が前側対応領域１１０よりも高い形状にされたウレタンスポンジ製のインナーソール１４５を備え、
このインナーソール１４５は、
前記後足部対応領域１３０にコーナカップ部１３２が設けられ、かつ中足部対応領域１２０に足の３アーチ８８を保つための滑らかな凸形状を有し、
さらに、前記インナーソール１４５は、
前記後足部対応領域１３０が前記下側インナーソール１４６と前記上側インナーソール１４８とによって、周囲に前記コーナカップ部１３２が形成され、
さらに、
前記インナーソール１４５の下に、
前記前側対応領域１１０よりも前記後足部対応領域１３０が高い形状にされた傾斜型中板部材１４１を備え、
この傾斜型中板部材１４１は、
足の平面形状と同様で厚さが均一なファイバーボード製の傾斜型中板用底上部材１４１Ｂと熱可塑性樹脂発泡体である斜め傾斜型中板用下底部材１４１Ａとからなり、
この斜め傾斜型中板用下底部材１４１Ａは、足裏の平面に対応する形状にされ、
前記後足部対応領域１３０は、
前記傾斜型中板用底上部材１４１Ｂより厚い、所定の均一の厚みにされ、この後足部対応領域１３０の部分の厚みは、中足部対応領域１２０の部分で前側対応領域１１０に向かって次第に薄くなっていることを特徴とする請求項１乃至３のいずれかに記載の鼻緒タイプの履物。
【請求項５】
前記インナーソール１４５は、
ウレタンスポンジ製の下側インナーソール１４６とウレタンスポンジ製の上側インナーソール１４８とを熱圧着成型してなり、
前記下側インナーソール１４６は、
前側対応領域１１０が硬く成型され、インナーソール中央土踏まず部対応領域１４６Ａが最も柔らかな凸形状にされ、
前記上側インナーソール１４８は、
前側対応領域１１０を除く中足部対応領域１２０と後足部対応領域１３０とに渡る形状であり、硬度が前記前側対応領域１１０の硬さ程度にされ、
前縁１４８Ｃは、
前記インナーソール中央土踏まず部対応領域１４６Ａの周囲を通るように、このインナーソール中央土踏まず部対応領域１４６Ａに対向する足の内側端１４８ａａ及び外側端１４８ｂｂまでの範囲を熱圧着成型する略Ｖ字状にされている
ことを特徴とする請求項４記載の鼻緒タイプの履物。
【発明の詳細な説明】
【技術分野】
【０００１】
この発明は、鼻緒タイプの室内履きに関する。
【背景技術】
【０００２】
近年は、室内においてルームシューズといわれる室内履きを履くユーザーが増加している。例えば、特許文献１の室内履きは、足を乗せたときの第１指（足の親指）と第２指との間に貫通穴を設け、この貫通穴に鼻緒を通している。
【０００３】
そして、この鼻緒の支柱の上に水平な指押さえ設けて、第１指（足の親指）と第２指とで支柱を挟んで歩けるようにしている。
【先行技術文献】
【特許文献】
【０００４】
【特許文献１】特開平７−２３８０７号公報
【発明の概要】
【発明が解決しようとする課題】
【０００５】
一般に、室内履きというのは、素足で履くことが多いので、素足でも違和感なく、かつ足裏形状にぴったりとあってフィット感があるのが好ましい。
【０００６】
しかしながら、特許文献１に記載の室内履きは、鼻緒自体が短く、足の甲全体を覆うものではない。このため、歩行時に足の踵あるいは足の後部が室内履きから離れてしまい、フィット感を損なっていた。
【０００７】
本発明は以上の課題を鑑みてなされたものであり、素足でも違和感なく、かつフィット感がある鼻緒タイプの室内履きを得ることを目的とする。
【課題を解決するための手段】
【０００８】
本発明に係わる鼻緒タイプの履物は、足裏に略対応する形状の下底本体部１４０と鼻緒１５０とからなる鼻緒タイプの履物であって、
前記鼻緒１５０は、横緒１５４と前緒１５２とからなり、
前記横緒１５４は、
断面が略長方形状又は略楕円形状にされ、この長軸が前記前緒１５２の略２倍程度にされて軽量でかつ軟材料の横緒芯部材１５４Ａと、
前記横緒芯部材１５４Ａより長くされて該横緒芯部材１５４Ａの周囲を包み込み、両端が前記下底本体部１４０の両縁に接続された横緒筒部材１５４Ｂと
で構成され、
前記前緒１５２は、
足の親指の厚み程度の立設部分を有して前記横緒１５４の中央部分に巻き付けられていることを要旨とする。
【発明の効果】
【０００９】
以上のように、本発明の鼻緒タイプの履物は、足の親指の厚み程度の前緒１５２により、断面の長軸が前緒１５２の略２倍程度の横緒芯部材１５４Ａを用いた横緒１５４を立設している。
【００１０】
このため、横緒１５４はソフトでかつ常に足を入れるための空間が形成されているので、容易に足を挿入できると共にフィット感がある。
【００１１】
また、横緒１５４は断面の長軸が前緒１５２の略２倍程度にされているから足の甲を広い面積で押さえることができるので、走行時には足の踵あるいは足の後ろ部が離れてパタパタすることがない。
【図面の簡単な説明】
【００１２】
【図１】足の骨格名称の説明図である。
【図２】図１の右足を裏側から見た場合の説明図である。
【図３】本実施の形態の鼻緒タイプの室内履きの説明図である。
【図４】インナーソール１４５と足の関係の説明図である。
【図５】図５はインナーソール１４５の詳細図である。
【図６】図６は図５（ａ）のＣ方向からの正面図である。
【図７】インナーソール１４５に左足をおいて下から見た場合の平面図である。
【図８】インナーソール１４５の形成方法の説明図である。
【図９】上面本体部１０５の形成方法の説明図である。
【図１０】上面本体部１０５の形成方法の説明図である。
【図１１】図１０の上面本体部１０５を下方（Ｄ方向）から見た場合の平面図である。
【図１２】鼻緒タイプの室内履き１００の形成方法の説明図である。
【図１３】傾斜型中板部材１４１の構成図である。
【図１４】鼻緒タイプの室内履き１００の形成方法の説明図である。
【図１５】鼻緒タイプの室内履き１００の形成方法における図１４のものをＥ方向から見た場合の平面図である。
【図１６】鼻緒タイプの室内履き１００の形成方法における図１５のものを裏面から見た場合の平面図である。
【図１７】完成した鼻緒タイプの室内履き１００に足を通した場合の斜視図である。
【図１８】図１７の側面図である。
【図１９】横緒筒部材１５４Ｂの他の実施の形態の説明図である。
【発明を実施するための形態】
【００１３】
実施の形態の説明の前に、足の骨格名称について図１を用いて説明する。
【００１４】
足は図１に示すように、前足部２０と、中足部２２と、後足部２３とから構成されている。なお、実施の形態では、足の骨格は解剖学的な名称を用いないで、義肢装具等の製造業界で使用している名称で説明する。
【００１５】
前足部２０は、図１に示すように、第１末節骨２７と、第２末節骨２８と、第３末節骨２９と、第４末節骨３０と、第５末節骨３１と、第２中節骨３５と、第３中節骨３６と、第４中節骨３７と、第５中節骨３８と、第１基節骨４１と、第２基節骨４２と、第３基節骨４３と、第４基節骨４４と、第５基節骨４５とからなる範囲をいう。
【００１６】
中足部２２は、第１中足骨５１と、第２中足骨５２と、第３中足骨５３と、第４中足骨５４と、第５中足骨５５と、第１楔状骨６１と、第２楔状骨６２と、第３楔状骨６３と、立方骨７１と舟状骨７３とからなる範囲をいう。この中足部２２の足の表面側が足の甲部２５である。
【００１７】
なお、前述の前足部２０と中足部２２との接続分を踏付部２６と称する。踏付部２６は、図１に示すように、第１基節骨４１、第２基節骨４２、第３基節骨４３、第４基節骨４４、第５基節骨４５の各々の骨底付近と、第１中足骨５１、第２中足骨５２、第３中足骨５３、第４中足骨５４、第５中足骨５５の各々の骨頭付近とからなる範囲である。
【００１８】
後足部２３は、図１に示すように、距骨７５と踵骨７７とからなる範囲である。
【００１９】
そして、足というのは図１に示す横アーチ８１と内側縦アーチ８３と外側縦アーチ８６とからなる足の３アーチ８８をしっかりと保つことが重要である。
【００２０】
横アーチ８１は、第１中足骨５１、第２中足骨５２、第３中足骨５３、第４中足骨５４、第５中足骨５５を結ぶ盛り上がりラインである。
【００２１】
内側縦アーチ８３は、第１中足骨５１、第１楔状骨６１、舟状骨７３、距骨７５、踵骨７７を結ぶ盛り上がりラインである。
【００２２】
外側縦アーチ８６は、第５中足骨５５、立方骨７１、踵骨７７を結ぶ盛り上がりラインである。
【００２３】
図２は図１の右足を裏側から見た場合の説明図である。図２に示すように足裏側には土踏まず部８０がある。この土踏まず部８０は、一般に第１中足骨５１の骨頭、第２中足骨５２、第３中足骨５３各々の骨頭の後ろ付近から第４中足骨５４の中央付近、立方骨７１の中央付近、踵骨７７の足内側角付近を通って距骨７５の足内側の中央付近に至る線で囲まれた領域である。
【００２４】
そして、本実施の形態においては、土踏まず部８０内において、図２に示す斜線、点線で囲まれた卵形状領域を中央土踏まず部８２と称する。
【００２５】
＜実施の形態の説明＞
本発明は、室内履きでもよいし、外用としてもかまわないが実施の形態では室内履きとして説明する。
【００２６】
また、以下に示す本実施の形態は、本発明の技術的思想を具体化するための一例であり、本発明の技術的思想は、構造、配置は下記のものに特定するものではない。
【００２７】
本発明の技術的思想は、特許請求の範囲に記載された技術的範囲内において、種々の変更を加えることができる。図面は模式的なものであることに留意すべきである。
【００２８】
図３は本実施の形態の鼻緒タイプの室内履きの説明図である。
【００２９】
図３（ａ）は本実施の形態の鼻緒タイプの室内履き１００の斜視図である。図３（ｂ）は、図３（ａ）の側面図である。なお、本実施の形態では、２２センチメートルタイプの鼻緒タイプの室内履きを一例として説明する。
【００３０】
図３（ａ）及び図３（ｂ）に示すように、鼻緒タイプの室内履き１００は、前足部２０に対応する領域を含んで当該鼻緒タイプの室内履き１００の先端までの範囲を前側対応領域１１０と称する。また、中足部２２に対応する領域を中足部対応領域１２０と称する。さらに後足部２３に対応する領域を後足部対応領域１３０と称する。
【００３１】
そして、図３（ａ）及び図３（ｂ）に示すように、鼻緒タイプの室内履き１００は、足裏の平面の形状に対応した下底本体部１４０と、鼻緒１５０とから構成されている。
【００３２】
前述の下底本体部１４０は、後側を高くした傾斜型中板部材１４１に、この傾斜型中板部材１４１の後側よりも高くしたインナーソール１４５等を重ね、これらをフェルト製のカバー１４７（袴ともいう）で覆って、フェルト製の下底部材１６０等が貼り付けられている。
【００３３】
また、下底本体部１４０の足裏側となる表面は、フェルト製の最上面部材１４０Ａによって構成されている。
【００３４】
そして、図３（ａ）に示すように、後足部対応領域１３０の周囲にはコーナカップ部１３２を形成して後足部２３の周囲を包込むようにされている。また、土踏まず部８０に対応する領域を土踏まず対応領域１８０と称する。
【００３５】
一方、鼻緒１５０は、前緒１５２（トングともいう）と、横緒１５４とから構成されている。
【００３６】
この横緒１５４は、図３（ａ）及び図３（ｂ）に示すように、一般的な鼻緒よりも太い形状にされ、表面はフェルトが用いられている。また、前緒１５２は、下底本体部１４０の最上面部材１４０Ａに対して立設されており、その高さも一般的なものよりも高い。
【００３７】
例えば、２２センチタイプの場合は、図３（ａ）、図３（ｂ）に示すように、下底本体部１４０の長さが２３．５ｃｍ程度の場合は、下底本体部１４０の最上面部材１４０Ａから前緒１５２の結び目までの高さが１９．０〜１９．５ｍｍ程度にされている。つまり、足の親指の厚みと同じ程度に高くされている。
【００３８】
なお、横緒１５４は略楕円形状であり、その長軸は、足の甲部２５の高さあるいは厚みの約３分の１程度にされている。下底本体部１４０の長さが２３．５ｃｍ程度の場合は例えば３５ｍｍ〜４０ｍｍ程度にされている。つまり、横緒１５４の長軸は、前緒１５２に対しては、略２倍程度の長さにされている。
【００３９】
また、前緒１５２から下底本体部１４０の先端１４０ａまでの長さは４２ｍｍ程度にされている。さらに、後足部対応領域１３０の後端１４０ｂの高さは３５ｍｍ程度にされている。
【００４０】
すなわち、前緒１５２が足の親指と同じ程度の高さで立設されて、かつ横緒１５４は内部に楕円状のスポンジを挿入して両脇に縫い付けられているので、横緒１５４は湾曲して斜めに立ち上がっている。このため、横緒１５４は足の甲を容易に入れることができる空間を有していることになる。
【００４１】
次に、前述のインナーソール１４５と足の関係について図４を用いて説明する。
【００４２】
インナーソール１４５は、図４に示すように、足裏の平面に対応する形状にされている。そして、このインナーソール１４５は、ウレタンスポンジ製の下側インナーソール１４６の上にウレタンスポンジ製の上側インナーソール１４８を熱圧着成型して構成されている。
【００４３】
また、インナーソール１４５の後端（以下インナーソール後端１４５ｂという）が前端（以下インナーソール前端１４５ａという）よりも高く（例えば２５ｍｍ）なるように形成されている。
【００４４】
そして、このインナーソール１４５は、下側インナーソール１４６と上側インナーソール１４８とで、図３に示す土踏まず対応領域１８０に対応する滑らかな凸形状のインナーソール土踏まず対応領域１４９を形成している。
【００４５】
そして、インナーソール土踏まず対応領域１４９を構成する下側インナーソール１４６における中央土踏まず部８２に対応するインナーソール中央土踏まず部対応領域１４６Ａは盛り上げられている（但し、軟らかい）。
【００４６】
図５はインナーソール１４５の詳細図である。図５（ａ）は、足裏側から見た場合の平面図であり、図５（ｂ）は図５（ａ）のＡ方向からの側面図であり、図５（ｃ）は図５（ｂ）のＢ方向からの側面図である。また、図６は図５（ａ）のＣ方向から正面図である。
【００４７】
図５（ｂ）、図５（ｃ）に示すように、インナーソール後端１４５ｂの厚みｔｉは、内側、外側とも同じ厚みにされている。
【００４８】
また、図６は図５（ａ）のＣ方向からの正面図である。図６に示すように、足の内側が最も厚みがある。そして、インナーソール中央土踏まず部対応領域１４６Ａで一旦盛り上がって足の外側に向かうに従って薄くなっている。
【００４９】
図７はインナーソール１４５に左足をおいて下から見た場合の平面図である。図７に示すように、インナーソール中央土踏まず部対応領域１４６Ａの先端線１４６Ａａは、第１中足骨５１の中央付近、第２中足骨５２の中央付近、第３中足骨５３の中央付近、第４中足骨５４の中央付近を通っている。
【００５０】
また、上側インナーソール１４８の前縁１４８Ｃは、図７に示すように略Ｖ字状にされているので、第１中足骨５１の骨頭のやや後ろよりの足の内側の内側端１４８ａａから第１中足骨５１の骨底の中央付近、第３楔状骨６３、第４中足骨５４の骨底の中央付近、第５中足骨５５の骨頭よりやや後方を通って、第５中足骨５５の骨頭付近に対応する足の外側端１４８ｂｂに至っている。つまり、下側インナーソール１４６のインナーソール中央土踏まず部対応領域１４６Ａの周囲を通るようにされている。
【００５１】
また、図７に示すようにインナーソール１４５の後足部対応領域１３０の周囲のコーナカップ部１３２によって後足部２３が包み込まれている。
【００５２】
そして、このインナーソール１４５を用いて、図３に示す鼻緒タイプの室内履き１００を形成する。
【００５３】
以下に鼻緒タイプの室内履き１００の形成方法を説明する。初めにインナーソール１４５の生成方法を図８を参照して説明する。
【００５４】
図８においては、図４に示すインナーソール１４５を得る前の略Ｖ字状の上側インナーソール１４８を上側インナーソール元材１４８ＡＡと称し、下側インナーソール１４６を下側インナーソール元材１４６ＡＡと称する。
【００５５】
この上側インナーソール元材１４８ＡＡは、図８に示すように、均一な厚みにされており、その厚みは４０ｍｍ程度にされている。また、下側インナーソール元材１４６ＡＡは、均一な厚みにされており、その厚みは２０ｍｍ程度にされている。
【００５６】
そして、この上側インナーソール元材１４８ＡＡと下側インナーソール元材１４６ＡＡとの間に接着剤を入れて接着し、図８に示すように、図４に示すインナーソール１４５を得るための上金型２１０と下金型２２０とで熱圧着成型することによって得る。
【００５７】
次に、鼻緒タイプの室内履き１００の製造方法について図９を参照して以下に説明する。
【００５８】
鼻緒１５０の横緒１５４は、図９に示すように、断面が楕円状の横緒芯部材１５４Ａ（ウレタンスポンジ）を用意し、この横緒芯部材１５４Ａと同形状の横緒筒部材１５４Ｂ（フェルト）に入れて生成する。
【００５９】
横緒芯部材１５４Ａは、図９に示すように、上辺１５４Ａａが３７５〜３８０ｍｍ程度にされ、下辺１５４Ａｂが３３５〜３４０ｍｍ程度にされている。つまり、下辺１５４Ａｂは上辺１５４Ａａより長さが短くされている。
【００６０】
また、この、横緒芯部材１５４Ａは、両端が同じ傾斜角度（５０〜５５度程度）にされている。また、この断面は、長軸が５０〜５５ｍｍ、短軸が２８〜３０ｍｍ程度の楕円状形状にされている。
【００６１】
一方、横緒筒部材１５４Ｂは、長さは横緒芯部材１５４Ａよりも２０ｍｍ程度長くされている。また、横緒筒部材１５４Ｂは、両端に１５ｍｍ程度の幅の補強テープ１５４ａ、１５４ｂを張り付けている。
【００６２】
そして、図９に示すように、このようにして製造した横緒１５４を中央付近から曲げて、この横緒１５４の両端を最上面部材１４０Ａの両端に縫い付けられている。
【００６３】
このため、図９に示すように、横緒１５４は斜めに立ち上がることになる。これは、ウレタンスポンジの弾力によるためである。
【００６４】
一方、前緒１５２は、図９に示すように、前緒芯材１５２Ａと、前緒筒部材１５２Ｂとから構成されている。
【００６５】
前緒芯材１５２Ａは、長さが３４０〜３４５ｍｍ程度のビニロン繊維であり、前緒筒部材１５２Ｂは、長さが２７０〜２７５ｍｍ程度のフェルト繊維である。
【００６６】
そして、この前緒筒部材１５２Ｂに、前緒芯材１５２Ａを通している。そして、この前緒１５２を図９に示すように、横緒１５４の中央付近に巻き付け固定する。この巻き付けの固定箇所は糸で縫いつけて固定している。
【００６７】
そして、図１０に示すように、最上面部材１４０Ａの周囲の長さより少し長いカバー１４７の下辺（以下カバー下辺１４７ａａという）を最上面部材１４０Ａの上面の周囲に縫い付ける。このようにして生成されたものを本実施の形態では上面本体部１０５と称する。図１０はカバー１４７を上げた状態で示している。
【００６８】
図１１は図１０の上面本体部１０５を下方（Ｄ方向）から見た場合の平面図である。図１１に示すように、カバー１４７は最上面部材１４０Ａの周囲に糸で縫い付けられている。また、横緒１５４の両端が最上面部材１４０Ａに糸で縫い付けられている。
【００６９】
そして、図１２に示すように、上面本体部１０５（図１２（ａ））の最上面部材１４０Ａの下からインナーソール１４５（図１２（ｂ））を押し当て、図１２（ｃ）に示す傾斜型中板部材１４１を押し当てる。
【００７０】
この傾斜型中板部材１４１について図１３を用いて説明する。図１３（ａ）は傾斜型中板部材１４１の平面図である。図１３（ｂ）は図１３（ａ）の側面図である。
【００７１】
図１３（ａ）及び図１３（ｂ）に示すように、傾斜型中板部材１４１は足裏側となる表面側が傾斜型中板用底上部材１４１Ｂ（ファイバーボード）にされ、この下に厚みがある熱可塑性樹脂発泡体（ＥＶＡともいう）である傾斜型中板用下底部材１４１Ａが接着されている。
【００７２】
この傾斜型中板用下底部材１４１Ａは、図１３に示すように、後足部対応領域１３０が均一な厚み（例えば８ｍｍ程度）にされている。また、傾斜型中板用下底部材１４１Ａの後足部対応領域１３０の部分の厚みは図１３（ｂ）に示すように、中足部対応領域１２０の部分で前側対応領域１１０に向かって次第に薄くなっている。
【００７３】
そして、図１４に示すように、最上面部材１４０Ａの所定位置において、インナーソール１４５、傾斜型中板部材１４１の底面まで直径８〜１０ｍｍ程度の穴１４０Ｃを工具で貫通させる。
【００７４】
そして、この穴１４０Ｃに前緒１５２を通して端末処理を施す。このとき、前緒１５２は、最上面部材１４０Ａから結び目１５５の下部までの高さが例えば約１９．０〜１９．５ｍｍ程度になるように端末処理される。つまり、足の親指の厚みと同じ程度に高くされる。なお、前緒芯材１５２Ａ、前緒筒部材１５２Ｂの不要な長さの部分はカットされる。
【００７５】
また、最上面部材１４０Ａの穴１４０Ｃは、図１４に示すように上面先端１０５ａから約４５ｍｍで、外側の縁から約５５ｍｍ、内側の縁から約４０ｍｍの位置に貫通させられる。
【００７６】
そして、図１５に示すように、カバー１４７を傾斜型中板部材１４１に巻き込んで接着剤で貼り付ける。このとき、余分な部分は挟みで切断して完成させる。
【００７７】
図１５は図１４のものをＥ方向から見た場合の平面図である。図１５に示すように、傾斜型中板部材１４１の裏面には、前緒芯材１５２Ａ、前緒筒部材１５２Ｂを接着剤で貼り付けている（以下端末処理部分という）。また、その上に前足部分補助部材２３０（フェルト製）を接着剤で貼り付け、さらに、フェルト製の長方形状補助部材２４０を貼り付けている。
【００７８】
この前足部分補助部材２３０及び長方形状補助部材２４０によって、傾斜型中板部材１４１にカバー１４７を巻き付け、かつ端末処理したとしても段差がなくなる。そして、図１５に示すように下底部材１６０（フェルト）を接着剤で貼り付けて完成する（図１６参照）。
【００７９】
図１７は完成した鼻緒タイプの室内履き１００に足を通した場合の斜視図である。図１８は図１７の側面図である。
【００８０】
図１７、図１８に示すように、鼻緒タイプの室内履き１００に足を通した場合は、前緒１５２の立設部分は親指の厚みと同じ程度の高さにされ（例えば１９．０〜１９.５ｍｍ程度）、かつ横緒１５４の芯はソフトなウレタンスポンジ製の横緒芯部材１５４Ａを用いているので、足の指部及び甲が容易にはいる空間を有して斜めに立ち上がっていることになる。このため、図１７、図１８に示すように、容易に足の指部と甲部とが入ることになる。
【００８１】
また、横緒１５４の両端は長軸が縦方向になるように最上面部材１４０Ａに接続されているので足を鼻緒１５０に入れた場合は、足の甲に合せて斜めになる。このため、長軸の部分で足の甲を押さえて、かつ足の甲を広い面積で押圧することになる。
【００８２】
さらに、図１７及び図１８に示すように、最上面部材１４０Ａの後足部対応領域１３０にはコーナカップ部１３２が形成されているから、後足部２３が包み込まれることになる。
【００８３】
このため、足の甲部が横緒１５４によって幅広く押さえつけられ、かつ後足部２３がコーナカップ部１３２によって包み込まれているから、走行中に踵が履物（下底本体部１４０）からあまり離れず、また横ずれも抑えられるので、履物がパタパタせずに快適に歩けることになる（足裏が最上面部材１４０Ａに接触している状態である）。
【００８４】
そして、鼻緒タイプの室内履き１００は、最上面部材１４０Ａ及び前緒１５２、横緒１５４の表面はフェルト製であるから、室内履きとして最適である。
【００８５】
さらに、前述の下底本体部１４０の中身は、ウレタンスポンジ製のインナーソール１４５と、ファイバーボード製の傾斜型中板用底上部材１４１Ｂ及び熱可塑性樹脂発泡体である傾斜型中板用下底部材１４１Ａを重ね合わせて構成しているから、非常に軽い。
【００８６】
また、インナーソール１４５は、図５に示すように後足部対応領域１３０は適度な高さを備えているため、かつ足の３アーチを保つ滑らかな凸部を有しているから非常に歩きやすい。
【００８７】
一方、上記実施の形態では、鼻緒１５０の横緒１５４に用いる横緒筒部材１５４Ｂは、両端に１５ｍｍ程度の幅の補強テープ１５４ａ、１５４ｂを張り付けた例として説明したが、図１９に示すように、横緒筒部材１５４Ｂの裏面全体に補強テープ１５４ｃを貼り付けてもよい。
【００８８】
図１９（ａ）は補強テープ１５４ｃを貼り付けた場合の裏面から見た図を示している。また、図１９（ｂ）は図１９（ａ）の断面を示す。さらに、図１９（ｃ）は、裏面全体に補強テープ１５４ｃを貼り付け横緒筒部材１５４Ｂを丸めたときの斜視図を示している。
【００８９】
従って、裏面全体に補強テープ１５４ｃが貼り付けられているので、横緒１５４の強度が増すことになる。
【００９０】
なお、上記の横緒芯部材１５４Ａ（ウレタンスポンジ）と横緒筒部材１５４Ｂ（フェルト）とは、接着材によって接着してもかまわない。
【符号の説明】
【００９１】
２０  前足部
２２  中足部
２３  後足部
２５  甲部
８０  土踏まず部
８２  中央土踏まず部
１００  鼻緒タイプの室内履き
１１０  前側領域
１２０  中足部対応領域
１３０  後足部対応領域
１４０  下底本体部
１４１  傾斜型中板部材
１４５  インナーソール
１５０  鼻緒
１６０  下底部材
【図１】
2015112359.tif 000003
【図２】
2015112359.tif 000004
【図３】
2015112359.tif 000005
【図４】
2015112359.tif 000006
【図５】
2015112359.tif 000007
【図６】
2015112359.tif 000008
【図７】
2015112359.tif 000009
【図８】
2015112359.tif 000010
【図９】
2015112359.tif 000011
【図１０】
2015112359.tif 000012
【図１１】
2015112359.tif 000013
【図１２】
2015112359.tif 000014
【図１３】
2015112359.tif 000015
【図１４】
2015112359.tif 000016
【図１５】
2015112359.tif 000017
【図１６】
2015112359.tif 000018
【図１７】
2015112359.tif 000019
【図１８】
2015112359.tif 000020
【図１９】
2015112359.tif 000021